(57)【要約】【課題】  引戸に取付けるハンドルであって、身体の不自由な人が手軽に開閉操作を行うことが出来ると共に引戸の開く方向が一目で分かるハンドルの提供。【解決手段】  ハンドル３は引戸パネル２に固定される連結部１１，１１と該連結部１１，１１から連続して握り部７、９，１０を有し、該握り部には引戸１が開く戸尻側へ突出する突出部を少なくとも握り部の一部に形成している。【選択図】    図２
2014145199.tif 000002
【特許請求の範囲】
【請求項１】
引戸に取付ける為のハンドルにおいて、該ハンドルは引戸パネルに固定される連結部と該連結部から連続して握り部を有し、該握り部には引戸の戸尻側へ突出する突出部を少なくとも握り部の一部に形成したことを特徴とする引戸用ハンドル。
【請求項２】
上記握り部を戸尻側へ湾曲して突出した請求項１記載の引戸用ハンドル。
【請求項３】
上記連結部間には別の握り部を掛架した請求項１、又は請求項２記載の引戸用ハンドル。
【請求項４】
ハンドルを備えた引戸において、該ハンドルは連結部と該連結部から連続して握り部を有し、該握り部には突出部を形成し、そして上記連結部を介してハンドルをパネルに取付け、上記ハンドルの突出部を戸尻側に向けたことを特徴とする引戸。
【発明の詳細な説明】
【技術分野】
【０００１】
本発明は人が引戸を開閉する際に、操作し易い引戸用ハンドル及び該ハンドルを備えた引戸に関するものである。
【背景技術】
【０００２】
図６は従来から使用している引戸装置の外観図であり、引戸（イ）は上レール（ロ）に吊車（ハ）、（ハ）を介して吊設されて走行し、出入口（ニ）を開閉することが出来る。そして引戸(イ)が開口した場合に納まる戸袋（ホ）を有し、また上レール（ロ）や該上レール（ロ）を走行する吊車（ハ）、（ハ）などをカバーする為の点検パネルが入口から戸袋の上部にかけて取付けされる（同図はこの点検パネルを外した状態である）。同図に示す引戸装置は手で押し開いた引戸（イ）が独りで閉じることが出来るように、上レール（ロ）は僅かに傾斜している。勿論、上レール（ロ）を傾斜することなくゼンマイバネを内蔵した自閉装置を備えることもある。
【０００３】
このように、手で押し開いた引戸（イ）は衝撃を伴って閉じることがないように、ブレーキ装置（図示なし）を取付ける場合もある。また、全開した引戸（イ）を一時的に停止する為に、吊車（ハ）に係止するストッパー（図示なし）を取着することも可能である。ゼンマイバネを内蔵した自閉装置を備えた引戸装置の場合も同じように構成している。
【０００４】
ところで、近年の引戸装置は高精度のアルミ製上レールが用いられ、吊車のローラには耐摩性に優れたポリアセタール等の樹脂材が用いられ、又高性能のラジアルベアリングが内蔵されている為に、約１ｋｇの軽い力で開き操作を行うことが出来るように成っている。そして、引戸（イ）の戸先側にはハンドル（チ）が取付けられている為に、該ハンドル（チ）を握って操作することが出来る。
【０００５】
図７は引戸（イ）を単独で表している場合であるが、該引戸（イ）の戸先側にはハンドル（チ）が取付けられている。ハンドル（チ）の形状は概略コ形を成して引戸面と一定空間を隔てた位置に握り部（リ）が上下方向に延びている。人は、この握り部（リ）の適当な位置を握って引戸（イ）を引いて開くことが出来、そして、開いた引戸（イ）は傾斜した上レール（ロ）に沿って独りでに閉じるようになる。
【０００６】
ところで、コ形ハンドル（チ）では引戸（イ）を開く際に不便な場合も多い。例えば、車椅子に乗った身体障害者はハンドル（チ）を握って引戸（イ）を引くことは出来るが、この場合に該引戸（イ）は入口の約１／２程度までは開くことは出来るが全開することは出来ない。従って、約１／２程度開いた後は、車椅子を後退させてから再びハンドル（チ）を引かなくてはならない。そして、十分に開口した出入口（ニ）から車椅子ごと入ることになるが、従って出入りが面倒であると共に時間がかかる。
【０００７】
また、部屋のコーナー部に引戸（イ）が設けられている場合であれば、車椅子に乗っている身体障害者は引戸（イ）のハンドル（チ）まで手が届かないといった問題も発生する。すなわち、車椅子の先端が壁面に当たってしまい、該車椅子を前へ進めることが出来ない。従って、車椅子から身を乗り出してハンドル（チ）を握らなくてはならず、その為に身体のバランスを崩すこともあって非常に危険である。
【０００８】
そこで、出願人は車椅子に乗った身体障害者が引戸を開き易いハンドルを開発している。例えば、特開２００６−１５２６３３号に係る「引戸用ハンドル及び該ハンドルを備えた引戸」、特開２００７−１４６５０７号に係る「引戸用ハンドル及び該ハンドルを備えた引戸」、特開２００７−１７７４１３号に係る「引戸装置」などである。
【０００９】
これらの引戸用ハンドルは、主として車椅子に乗った身体障害者が使い易いように、握り部を一か所ではなく複数個所とし、戸先側に位置して上下方向に延びるメイン握り部と戸尻側に位置して上下方向に延びる補助握り部を有している。従って、身体障害者は車椅子に乗ったままで、メイン握り部と補助握り部を使い分けることで、車椅子を動かすことなく引戸を開くことが出来る。勿論、身体障害者を対象としない引戸用ハンドルも色々知られている。
【００１０】
【特許文献１】特開２００６−１５２６３３号に係る「引戸用ハンドル及び該ハンドルを備えた引戸」
【特許文献２】特開２００７−１４６５０７号に係る「引戸用ハンドル及び該ハンドルを備えた引戸」
【特許文献３】特開２００７−１７７４１３号に係る「引戸装置」
【発明の開示】
【発明が解決しようとする課題】
【００１１】
このように、引戸用ハンドルにはその目的に応じて色々な形態が存在している。
ところで、引戸を開く際にはある方向（戸尻方向）へスライドしなくてはならない。出入口に取付けた引戸を操作する場合、部屋に入る際に右方向へスライドさせることで開く引戸であれば、部屋から出る際には反対に左方向へスライドさせなくてはならない。しかし、従来の引戸に取付けているコ型ハンドル（チ）は、開き扉に取付けて使用する場合もあるので、一見しただけでは引戸なのか開き扉なのか分かり難い。
本発明が解決しようとする課題はこの問題点であり、引戸の開閉操作がし易いと共に、ハンドルの形状を一見するだけで開く方向が分かる引戸用ハンドル及び該ハンドルを備えた引戸を提供する。
【課題を解決するための手段】
【００１２】
本発明に係る引戸用ハンドルは握り部を有し、この握り部は従来のように上下方向に延びるだけでなく、戸尻側方向へ突出した形状としている。ここで、ハンドル全体としての形状は特に限定しないが、該握り部全体が戸尻方向へ突出する場合、又は上下方向に延びる握り部の一部に戸尻方向へ突出する突出部を連続して形成する場合がある。そして、該ハンドルは引戸パネルに取付けられるが、その為に連結部を有し、該連結部を介して取付けられている。
【発明の効果】
【００１３】
本発明の引戸用ハンドルは握り部を有し、引戸をスライドして開く場合には該握り部を持って引くことが出来、基本的な操作は従来のハンドルと共通している。そして、該ハンドルの握り部は戸尻側へ突出した形状としており、又は握り部の一部に突出部を形成している。その為に、引戸を操作する人は該引戸が開く方向を間違えることなく引くことが出来る。しかも、離れた所から引戸を一見しただけで、該引戸の開く方向を認識することが可能である。
【００１４】
一方、握り部は戸尻側へ突出している為に、引戸を開く際に握ることが出来る箇所は様々で、車椅子に乗った身体障害者にとっても使い易いハンドルと成る。すなわち、戸尻側へ突出した握り部は従来ハンドルのメイン握り部と補助握り部としての機能を兼ね備え、車椅子を動かすことなく握る箇所を変えることで該引戸をスライドして開くことが出来る。又、部屋のコーナー部に引戸が設置される場合であっても、車椅子に乗った状態で身を乗り出すことなく突出した形状の握り部の位置を変えることで、引戸を引くことが出来る。
【００１５】
更には、歩行器を使用する人や杖を突いて歩行する人など、様々な障害を持った場合であっても、体勢を崩すことなく安定して引戸を引くことが出来る。また、身体障害者だけでなく、健常者にとっても使い易くなる。例えば、荷物を抱えて両手が塞がっている状態である時は、肘を握り部に引っ掛けて引戸を引くことも可能である。すなわち、あらゆる使用者が便利でかつ快適に使用できるので、ユニバーサルデザイン性能を高めることが出来る。
【図面の簡単な説明】
【００１６】
【図１】本発明に係る引戸を装着した引戸装置。
【図２】本発明のハンドルを示す実施例。
【図３】本発明のハンドルを取付けた引戸。
【図４】本発明のハンドルを取付けた引戸。
【図５】本発明のハンドルを取付けた引戸。
【図６】従来の引戸を装着した引戸装置。
【図７】従来のハンドルを取付けた引戸の具体例。
【発明を実施するための形態】
【００１７】
図１は本発明に係る引戸１を出入口に装着した場合、すなわち引戸装置を表している実施例である。引戸１は縦長の長方形パネル２から成り、上端両側には吊車（図示なし）が取着され、引戸１は該吊車を介して上レール（図示なし）に吊設される。そして、引戸１の両面の戸先側にはハンドル３が取付けられていて、人はこのハンドル３を握って引戸１を開くことが出来る。一般に、吊車が載って走行する上レールは戸先側が僅かに低く傾斜している為に、手で引いて開いた引戸１はその自重にて独りで閉じることが出来るように成っている。
勿論、上レールを傾斜しないで自閉装置を取付ける場合もあり、その形態は限定しない。
【００１８】
出入口には門型のドア枠４が嵌り、引戸１の上部には点検パネル５が取付けられて、上レールや吊車などが表面化しないようにカバーされている。そして、引戸１がスライドして開いた場合に収納される戸袋６を有している。ところで、該引戸１のパネル２にはハンドル３が取着されているが、その形状は引戸１を開くことが出来る方向が離れた所からでも一見して分かる形態と成っている。
【００１９】
上記ハンドル３，３はパネル両面の対称位置に取付けられるが、具体的な取付け構造は特に限定しない。一般にはパネル対向面側から挿入したネジを連結部に設けているネジ穴に締付けて一方側のハンドル３を取付け、反対側のハンドル３はその連結部先端に嵌合穴を設け、この嵌合穴に上記ネジの頭を嵌合すると共に連結部側面から止めネジにて固定する構造と成っている。
【００２０】
図２はこのハンドル３を単独で表している具体例である。該ハンドル３は第１握り部７、第２握り部８、上握り部９、下握り部１０、そしてパネル２に取付ける為の上・下連結部１１，１１を有している。ここで、該ハンドル３の作り方は問わないが、例えば、第１握り部７、上握り部９、下握り部１０、及び連結部１１，１１を所定の太さのパイプを曲げ成形し、両連結部１１，１１間に第２握り部８を掛架して連結することが出来る。勿論、上記各部位を持つハンドル３を一体鋳造してもよい。
【００２１】
ところで、上記第１握り部７は大きく湾曲して戸尻側へ突出した形状と成っている。すなわち、突出部を形成している。その為に、該引戸１が開く方向は該ハンドル３の形状から一目で分かり、該ハンドル３の第１握り部７を持って突出している方向へ引いて開くことが出来る。逆方向へ押すことはあり得ない。
【００２２】
本発明のハンドル３は第１握り部７、第２握り部８、上握り部９、及び下握り部１０を有し、その為に引戸１を開く場合には上記各部位を持って操作することが出来る。特に、第１握り部７は戸尻側へ大きく突出している為に、第１握り部７の中央部を持って引戸１を引き、その後に上部又は下部を持って引くことが出来る。
【００２３】
すなわち、車椅子に乗った身体障害者であれば、手の届く部位を持って引き、引戸１がスライドして一部開いたところで第１握り部７の握り部位を変えて引き、また上握り部９又は下握り部１０に持ち替えて引戸１を引くことが出来る。さらに、車椅子を動かすことなく、第２握り部８を持って引戸１を大きく開き、出入口を通過することが可能である。
【００２４】
このように、第１握り部７を湾曲して戸尻側へ突出することで、引戸１の開く方向が一目で分かると共に、車椅子に乗った身体障害者又は杖を突いて歩く身体障害者にとっては、身体を大きく動かすことなく手を伸ばし、手が届く範囲内で適当な部位を持って開くことが可能となる。
【００２５】
図３は本発明に係るハンドル３を取付けた引戸１示す他の実施例である。このハンドル３は第１握り部１２を湾曲することなく直線状の握り片で構成している。すなわち、上握り部９から下方へ傾斜する第１上握り片１３と下握り部１０から上方へ傾斜して延びる第１下握り片１４の先端は中央にて繋がった形状としているが、戸尻側へは大きく突出している。また、上下の連結部間には第２握り部８を設けている。
【００２６】
図４は本発明のハンドル３を取付けた引戸１を示す更なる別実施例である。前記図３に示すハンドル３を基本形態は共通している。すなわち、ハンドル３は第１握り部１２を湾曲することなく直線状の握り片で構成し、上握り部９から下方へ傾斜する第１上握り片１３と下握り部１０から上方へ傾斜して延びる第１下握り片１４の先端は中央にて繋がった形状としている。
【００２７】
戸尻側へ突出した第１握り部１２の中央には戸尻方向へ中央片１５を水平に延ばしている。そして、上下の連結部間には第２握り部８を設けている。突出部となる第１握り部１２の先端に上記中央片１５を戸尻方向へ延ばすことで、特に車椅子に乗った身体障害者は手を伸ばして該中央片１５を掴むことが出来、また、杖の突いた老人であれば、該中央片１５に手を掛けることが出来る。
【００２８】
図５は前記図７に示すハンドル（チ）を変形した形態を成し、第２握り部１６の中央部を戸尻側へ突出した第１握り部１７を有している。第２握り部１６は第１握り部１７を間にして第２上握り部１８と第２下握り部１９とに分離した形状としている。そして、第２上握り部１８と第２下握り部１９の先端を湾曲してパネル２に取付ける為の連結部１１，１１を設けている。
【符号の説明】
【００２９】
１  引戸
２  パネル
３  ハンドル
４  ドア枠
５  点検パネル
６  戸袋
７  第１握り部
８  第２握り部
９  上握り部
10  下握り部
11  連結部
12  第１握り部
13  第１上握り片
14  第１下握り片
15  中央片
16  第２握り部
17  第１握り部
18  第２上握り部
19  第２下握り部
【図１】
2014145199.tif 000003
【図２】
2014145199.tif 000004
【図３】
2014145199.tif 000005
【図４】
2014145199.tif 000006
【図５】
2014145199.tif 000007
【図６】
2014145199.tif 000008
【図７】
2014145199.tif 000009